(57)【特許請求の範囲】
【請求項１】
針落ち部を中心としてその周辺領域に向けて局所的に投光し照明する半導体素子利用の発光源が針落ち部の上方部に取り付けられ、この発光源と電源との接続回路中に、ミシンの作動に連動して自動的にオン動作されるスイッチが介在されている照明装置付きミシンにおいて、
上記発光源と電源との接続回路中には上記スイッチのほかに、互いに抵抗値の調整範囲が異なる第１及び第２の可変抵抗器と、ミシンが回転される通常の縫製作業時は発光源からの投光量が小さくなり、かつ、ミシンが回転停止された時は発光源からの投光量が大きくなるように、ミシンの回転センサーによる回転検出信号及び回転停止検出信号によって上記電源と発光源とを第２の可変抵抗器を介しての接続状態と第１の可変抵抗器を介しての接続状態とに自動的に接続切替可能な切替スイッチとが介在されており、また、上記第１及び第２の可変抵抗器のそれぞれには、互いに異なる範囲でそれらの抵抗値を設定調整可能な手動ボリュームが設けられていることを特徴とする照明装置付きミシン。
【請求項２】
上記針落ち部に対する作業位置の手前箇所には、透明材料からなる板片状の安全ガードが設けられている請求項１に記載の照明装置付きミシン。
【発明の詳細な説明】
【０００１】
【発明の属する技術分野】
本発明は照明装置付きミシンに関するもので、詳しくは、夜間や悪天候時等のように雰囲気が暗くて室内照明だけでは確認しにくい針落ち位置を局所的に照明して縫製作業の進行状況等を容易かつ明確に把握できるようになされている照明装置付きミシンに関するものである。
【０００２】
【従来の技術】
この種の照明装置付きミシンとして、例えば特開昭５７−６９８８４号公報等に開示されているように、針落ち部の上方部に発光ダイオード（ＬＥＤ）などの半導体素子利用の発光源を取り付け、この発光源を縫製作業の開始に伴い発光動作させることで、針落ち部を中心としてその周辺領域に向けて局所的に投光し照明するようにしたものが従来より知られている。
【０００３】
【発明が解決しようとする課題】
しかし、上記公開公報等に開示されている従来の照明装置付きミシンでは、発光ダイオード等の発光源をミシンの作動に連動してオン・オフさせるだけのものであって、針落ち部及びその周辺領域の照明時における投光量は一定である。そのため、針落ち部及びその周辺領域を明るく照らせるように投光量を大きく設定すると、例えば白色生地等を縫製する場合、光の反射が強過ぎて視認性が低下し、かつ、眼精疲労などを招きやすいという問題があり、逆に、投光量を小さく設定すると、ミシンの回転停止時において針に糸を通す場合の照度が不足し、局所照明の存在にかかわらず、糸通し作業、次の縫製の準備などの細かい作業が非常に難しいという問題があった。
【０００４】
本発明は上記のような実情に鑑みてなされたもので、縫製作業時には針落ち部周辺箇所を適切な照度で照明して良好な視認性を確保しつつ、ミシンの回転停止時には糸通し作業、次の縫製の準備などの細かい作業を容易に行えるように明るく照明することができる照明装置付きミシンを提供することを目的としている。
【０００５】
【課題を解決するための手段】
上記目的を達成するために、本発明に係る照明装置付きミシンは、針落ち部を中心としてその周辺領域に向けて局所的に投光し照明する半導体素子利用の発光源が針落ち部の上方部に取り付けられ、この発光源と電源との接続回路中に、ミシンの作動に連動して自動的にオン動作されるスイッチが介在されている照明装置付きミシンにおいて、上記発光源と電源との接続回路中には上記スイッチのほかに、互いに抵抗値の調整範囲が異なる第１及び第２の可変抵抗器と、ミシンが回転される通常の縫製作業時は発光源からの投光量が小さくなり、かつ、ミシンが回転停止された時は発光源からの投光量が大きくなるように、ミシンの回転センサーによる回転検出信号及び回転停止検出信号によって上記電源と発光源とを第２の可変抵抗器を介しての接続状態と第１の可変抵抗器を介しての接続状態とに自動的に接続切替可能な切替スイッチとが介在されており、また、上記第１及び第２の可変抵抗器のそれぞれには、互いに異なる範囲でそれらの抵抗値を設定調整可能な手動ボリュームが設けられていることを特徴とするものである。
【０００６】
上記構成の本発明によれば、通常の縫製作業時には発光源からの投光量を小さくして針落ち部及びその周辺領域を被縫製生地からの反射光の少ない照度で照明することによって、針落ち位置の確認など縫製作業の進行状況の視認性を高めるとともに、眼精疲労を少なくすることが可能である。また、ミシンの回転停止時には発光源からの投光量が大きくなるように調整して針落ち部及びその周辺領域を明るく照明することによって、針への糸通し作業、次の縫製の準備などの細かい作業を容易かつ迅速に行うことが可能である。
【０００７】
しかも、ミシンの回転センサーの検出信号によって回転時及び回転停止時における上記発光源からの投光量を２段階に自動調整するものであるから、投光量を人手によって調整する面倒な作業を行わずとも、ミシンを通常どおりに作動させて回転及び回転停止操作するだけで、縫製作業時には針落ち部及びその周辺領域を視認性に優れ、眼精疲労の少ない照度で照明し、かつ、ミシンの回転停止時には糸通し作業、次の縫製の準備などの細かい作業を容易に行える照度の照明に自動的に変更することができる。
【０００８】
また、本発明に係る照明装置付きミシンとして、請求項２に記載のように、上記針落ち部に対する作業位置の手前箇所に透明材料からなる板片状の安全ガードが設けられているミシンに適用する場合は、縫製作業時に発生する破損針や屑片などが縫製箇所に近付いている作業者の目や顔面などにぶつかることを安全ガードによって防ぎつつ、このような安全ガードの存在による針落ち箇所の視認性の低下を照明によって抑制して、安全ガードの存在にかかわらず縫製作業の進行状況を明確に視認することができる。
【０００９】
【発明の実施の形態】
以下、本発明の実施の形態を図面にもとづいて説明する。
図１は本発明を適用してなる照明装置付きシリンダ型ミシンの一部を省略した斜視図、図２はその主要部の拡大斜視図、図３は図２の左側面図である。これら各図に示すシリンダ型ミシンは、ミシンアーム１内に水平姿勢に横架されたクランク機構（図示省略する）を介して該ミシンアーム１のヘッド部に上下に往復運動自在に支持された針棒２の下端部に針止め２Ａを介して針３が固着されている。上記針棒２の後部のミシンアーム１には、昇降自在な押え棒４が配置され、この押え棒４の下端部に押え金５が固定されている。また、ミシンアーム１の下部に対向状に配設されたシリンダ型ベッド６の上面には、針板７が設けられており、この針板７及び押え金５には上記針３の上下運動経路となる針落ち部８が形成されている。生地送り装置などシリンダ型ミシンの他の構成は周知であるため、詳しい説明を省略する。
【００１０】
上記針落ち部８に対する作業位置の手前箇所には、透明樹脂材料からなる板片状の安全ガード９がそれの上方部に設定された支点１０の周りで揺動開閉可能に設けられている。この板片状安全ガード９の内側に対応するミシンアーム１のヘッド部下端で針落ち部８の上方部には、図３の仮想線Ｋで示すように、針落ち部８を中心としてその周辺領域に向けて局所的に投光しその領域を照明する半導体素子利用の発光源としての発光ダイオード（以下，ＬＥＤと称する）１１が取り付けられている。
【００１１】
【００１２】
【００１３】
【００１４】
図４は本発明の実施の形態による照明装置付きシリンダ型ミシンにおける投光量調整装置の構成を示すブロック図であって、電源１２とＬＥＤ１１との接続回路中に、ミシンの作動に連動して自動的にオン動作されるスイッチ１３のほかに、互いに抵抗値の範囲が異なる第１の可変抵抗器１４Ａ及び第２の可変抵抗器１４Ｂと、回転センサー１６によるミシンの回転検出信号及び回転停止検出信号によって接続切替えされる切替スイッチ１７とが介在されており、ミシンの回転停止時には切替スイッチ１７を介して電源１２とＬＥＤ１１を第１の可変抵抗器１４Ａを通しての接続状態とし、かつ、ミシンの回転時には切替スイッチ１７を介して電源１２とＬＥＤ１１を第２の可変抵抗器１４Ｂを通しての接続状態に自動切替可能としたものである。なお、第１及び第２の可変抵抗器１４Ａ，１４Ｂにはそれぞれ互いに異なる範囲でそれらの抵抗値を設定調整可能とする手動ボリューム１５Ａ，１５Ｂが設けられている。
【００１５】
上記のような構成の照明装置付きシリンダ型ミシンにおいて、スイッチ１３をオンしてミシンの作動に伴い所定の縫製作業を行うに際して、被縫製生地の光反射特性や作業室内の明るさなどに応じて予め第１及び第２の可変抵抗器１４Ａ，１４Ｂの抵抗値を手動ボリューム１５Ａ，１５Ｂにより調整しておくことによって、その後はミシンを回転あるいは回転停止させるといった一般的なミシン操作を行うのみで、回転センサー１６によるミシンの回転検出信号及び回転停止検出信号により通常の縫製作業時には電源１２とＬＥＤ１１とが第２の可変抵抗器１４Ｂを介して接続されてＬＥＤ１１からの投光量が小さくなり、針落ち部８及びその周辺領域の確認など縫製作業の進行状況等を安全ガード９の存在にかかわらず明確に視認することが可能であるとともに、眼精疲労の少ない照度で照明することができる一方、ミシンの回転停止時には電源１２とＬＥＤ１１とが第１の可変抵抗器１４Ａを介して接続されてＬＥＤ１１からの投光量が自動的に大きくなり、針落ち部８の周辺領域を糸通し作業や次の縫製の準備などの細かい作業を非常に明るい環境下で容易かつ迅速に行える照度で照明することができる。
【００１６】
なお、上記各実施の形態では、シリンダ型ミシンに適用したものについて説明したが、それ以外、いかなる形式のミシンに適用しても同様な効果を奏しえるものである。
【００１７】
【発明の効果】
以上のように、本発明によれば、通常の縫製作業時には発光源からの投光量を小さくして針落ち部及びその周辺領域を被縫製生地からの反射光の少ない照度で照明することにより、眼精疲労の少ない状態として針落ち位置の確認など縫製作業の進行状況の視認性を良好に確保しつつ、ミシンの回転停止時には発光源からの投光量が大きくして針落ち部及びその周辺領域を明るく照明することにより、針への糸通し作業、次の縫製の準備などの細かい作業を容易かつ迅速に行うことができるという効果を奏する。
【００１８】
しかも、投光量を人手によって調整する面倒な作業を行わずとも、ミシンを通常どおりに回転及び回転停止操作するだけで、上記のような照明効果を奏することができる。
【００１９】
また、請求項２に記載の発明によれば、縫製作業時に発生する破損針や屑片などが作業者の目や顔面などにぶつかることを防ぎつつ、そのための安全ガードの存在による針落ち箇所の視認性の低下を照明によって抑制して、安全ガードの存在にかかわらず縫製作業の進行状況を明確に視認することができるという効果を奏する。
【図面の簡単な説明】
【図１】この発明に係る照明装置付きシリンダ型ミシンの一部を省略して示す斜視図である。
【図２】図１の主要部の拡大斜視図である。
【図３】図２の左側面図である。
【図４】照明装置付きシリンダ型ミシンにおける投光量調整装置の構成を示すブロック図である。
【符号の説明】
１  ミシンアーム
８  針落ち部
９  安全ガード
１１  ＬＥＤ（半導体利用の発光源）
１３  スイッチ
１４Ａ，１４Ｂ  可変抵抗器
１５Ａ，１５Ｂ  手動ボリューム
１６  回転センサー
１７  切替スイッチ
【図１】
0004296319.tif 000002
【図２】
0004296319.tif 000003
【図３】
0004296319.tif 000004
【図４】
0004296319.tif 000005